(57)【要約】【課題】撮像装置が、撮影環境の変化などによって、照合などに用いることができる顔を含む画像を撮像できなくなる場合がある。【解決手段】設定異常判定装置は、撮像装置により撮像された複数の画像から検出された顔の数を示す顔検出数を取得する顔検出数取得部と、顔検出数が、予め定められた顔検出数の範囲を示す基準顔検出数範囲に含まれない場合、複数の画像のうち少なくとも１つの画像から検出された顔の顔サイズを取得する顔サイズ取得部と、顔サイズが、予め定められた顔サイズの範囲を示す基準顔サイズ範囲に含まれない場合、撮像装置の設定が異常であると判定する設定異常判定部とを備える。【選択図】図４
2015195459.tif 000002
【特許請求の範囲】
【請求項１】
撮像装置により撮像された複数の画像から検出された顔の数を示す顔検出数を取得する顔検出数取得部と、
前記顔検出数が、予め定められた顔検出数の範囲を示す基準顔検出数範囲に含まれない場合、前記複数の画像のうち少なくとも１つの画像から検出された顔の顔サイズを取得する顔サイズ取得部と、
前記顔サイズが、予め定められた顔サイズの範囲を示す基準顔サイズ範囲に含まれない場合、前記撮像装置の設定が異常であると判定する設定異常判定部と
を備える設定異常判定装置。
【請求項２】
前記顔サイズ取得部は、前記複数の画像から検出された顔の顔サイズの平均値を前記顔サイズとして取得する、請求項１に記載の設定異常判定装置。
【請求項３】
前記設定異常判定部は、前記顔サイズが、前記基準顔サイズ範囲に含まれない場合、前記撮像装置の撮像範囲の設定が異常であると判定する、請求項１に記載の設定異常判定装置。
【請求項４】
前記顔検出数が前記基準顔検出数範囲に含まれない場合、前記複数の画像のうち少なくとも１つの画像から検出された顔の向きを取得する顔向き取得部をさらに備え、
前記設定異常判定部は、前記向きが、予め定められた顔の向きの範囲を示す基準向き範囲に含まれない場合、前記撮像装置の設定が異常であると判定する、請求項１から請求項３のいずれか１つに記載の設定異常判定装置。
【請求項５】
前記顔向き取得部は、前記複数の画像から検出された顔の顔向きの平均値を前記向きとして取得する、請求項４に記載の設定異常判定装置。
【請求項６】
前記設定異常判定部は、前記向きが、前記基準向き範囲に含まれない場合、前記撮像装置の撮像位置の設定が異常であると判定する、請求項４または請求項４に記載の設定異常判定装置。
【請求項７】
前記顔検出数が前記基準顔検出数範囲に含まれない場合、前記複数の画像のうち少なくとも１つの画像の輝度を取得する輝度取得部をさらに備え、
前記設定異常判定部は、前記輝度が、予め定められた輝度の範囲を示す基準輝度範囲に含まれない場合、前記撮像装置の設定が異常であると判定する、請求項１から請求項６のいずれか１つに記載の設定異常判定装置。
【請求項８】
前記輝度取得部は、前記複数の画像の輝度の平均値を前記輝度として取得する、請求項７に記載の設定異常判定装置。
【請求項９】
前記設定異常判定部は、前記輝度が、前記基準輝度範囲に含まれない場合、前記撮像装置の露出またはホワイトバランスの設定が異常であると判定する、請求項７または請求項８に記載の設定異常判定装置。
【請求項１０】
撮像装置により撮像された複数の画像から検出された顔の数を示す顔検出数を取得する顔検出数取得部と、
前記顔検出数が、予め定められた顔検出数の範囲を示す基準顔検出数範囲に含まれない場合、前記複数の画像のうち少なくとも１つの画像から検出された顔の向きを取得する顔向き取得部と、
前記向きが、予め定められた顔の向きの範囲を示す基準向き範囲に含まれない場合、前記撮像装置の設定が異常であると判定する設定異常判定部と
を備える、設定異常判定装置。
【請求項１１】
撮像装置により撮像された複数の画像から検出された顔の数を示す顔検出数を取得する顔検出数取得部と、
前記顔検出数が、予め定められた顔検出数の範囲を示す基準顔検出数範囲に含まれない場合、前記顔検出数が前記基準顔検出数範囲に含まれない場合、前記複数の画像のうち少なくとも１つの画像の輝度を取得する輝度取得部と、
前記輝度が、予め定められた輝度の範囲を示す基準輝度範囲に含まれない場合、前記撮像装置の設定が異常であると判定する設定異常判定部と
を備える、設定異常判定装置。
【請求項１２】
請求項１から請求項１１のいずれか１つに記載の設定異常判定装置として、コンピュータを機能させるためのプログラム。
【発明の詳細な説明】
【技術分野】
【０００１】
本発明は、撮像装置の設定異常判定装置、およびプログラムに関する。
【背景技術】
【０００２】
特許文献１には、パチンコホールの出入口を通行する遊技客の顔画像が撮影可能となるように出入口の近傍に設置されたカメラにより撮影された撮影画像を解析して顔情報を取得し、取得した顔情報を含む来店履歴情報を来店履歴情報テーブルに登録する来店状況管理システムが記載されている。
【０００３】
特許文献１  特開２００７−２０６５３号公報
【発明の概要】
【発明が解決しようとする課題】
【０００４】
出入口の近傍など予め定められた場所を通行する人などを撮像する撮像装置が、撮影環境の変化などによって、照合などに用いることができる顔を含む画像を撮像できなくなる場合がある。
【課題を解決するための手段】
【０００５】
本発明の一態様に係る設定異常判定装置は、撮像装置により撮像された複数の画像から検出された顔の数を示す顔検出数を取得する顔検出数取得部と、顔検出数が、予め定められた顔検出数の範囲を示す基準顔検出数範囲に含まれない場合、複数の画像のうち少なくとも１つの画像から検出された顔の顔サイズを取得する顔サイズ取得部と、顔サイズが、予め定められた顔サイズの範囲を示す基準顔サイズ範囲に含まれない場合、撮像装置の設定が異常であると判定する設定異常判定部とを備える。
【０００６】
上記設定異常判定装置において、顔サイズ取得部、複数の画像から検出された顔の顔サイズの平均値を顔サイズとして取得してよい。
【０００７】
上記設定異常判定装置において、設定異常判定部は、顔サイズが、基準顔サイズ範囲に含まれない場合、撮像装置の撮像範囲の設定が異常であると判定してよい。
【０００８】
上記設定異常判定装置は、顔検出数が基準顔検出数範囲に含まれない場合、複数の画像のうち少なくとも１つの画像から検出された顔の向きを取得する顔向き取得部をさらに備え、設定異常判定部は、顔向きが、予め定められた顔の向きの範囲を示す基準向き範囲に含まれない場合、撮像装置の設定が異常であると判定してよい。
【０００９】
上記設定異常判定装置において、顔向き取得部は、複数の画像から検出された顔の顔向きの平均値を向きとして取得してよい。
【００１０】
上記設定異常判定装置において、設定異常判定部は、顔向きが、基準顔向き範囲に含まれない場合、撮像装置の撮像位置の設定が異常であると判定してよい。
【００１１】
上記設定異常判定装置は、顔検出数が基準顔検出数範囲に含まれない場合、複数の画像のうち少なくとも１つの画像の輝度を取得する輝度取得部をさらに備え、設定異常判定部は、輝度が、予め定められた輝度の範囲を示す基準輝度範囲に含まれない場合、撮像装置の設定が異常であると判定してよい。
【００１２】
上記設定異常判定装置において、輝度取得部は、複数の画像の輝度の平均値を輝度として取得してよい。
【００１３】
上記設定異常判定装置において、設定異常判定部は、輝度が、基準輝度範囲に含まれない場合、撮像装置の露出またはホワイトバランスの設定が異常であると判定してよい。
【００１４】
本発明の一態様に係る設定異常判定装置は、撮像装置により撮像された複数の画像から検出された顔の数を示す顔検出数を取得する顔検出数取得部と、顔検出数が、予め定められた顔検出数の範囲を示す基準顔検出数範囲に含まれない場合、複数の画像のうち少なくとも１つの画像から検出された顔の向きを取得する顔向き取得部と、顔向きが、予め定められた顔の向きの範囲を示す基準顔向き範囲に含まれない場合、撮像装置の設定が異常であると判定する設定異常判定部とを備える。
【００１５】
本発明の一態様に係る設定異常判定装置は、撮像装置により撮像された複数の画像から検出された顔の数を示す顔検出数を取得する顔検出数取得部と、顔検出数が、予め定められた顔検出数の範囲を示す基準顔検出数範囲に含まれない場合、顔検出数が基準顔検出数範囲に含まれない場合、複数の画像のうち少なくとも１つの画像の輝度を取得する輝度取得部と、輝度が、予め定められた輝度の範囲を示す基準輝度範囲に含まれない場合、撮像装置の設定が異常であると判定する設定異常判定部とを備える。
【００１６】
なお、上記の発明の概要は、本発明の特徴の全てを列挙したものではない。また、これらの特徴群のサブコンビネーションもまた、発明となりうる。
【図面の簡単な説明】
【００１７】
【図１】本実施形態に係る撮像システムの全体の構成を示す図である。
【図２】画像処理部の機能ブロックの一例を示す図である。
【図３】器官特徴点について説明するための図である。
【図４】設定異常判定装置の機能ブロックの一例を示す図である。
【図５】設定異常判定装置が撮像装置の設定に異常があるか否かを判定する手順の一例を示すフローチャートである。
【図６】設定異常判定装置のハードウェア構成の一例を示す図である。
【発明を実施するための形態】
【００１８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１９】
図１は、本実施形態に係る撮像システムの全体の構成を示す図である。撮影システムは、予め定められた場所を通過する人の顔を撮像し、顔を含む画像をデータベースに登録するシステムなどに適用できる。撮影システムは、例えば、パチンコ、パチスロなどの遊技機が設置された遊技店の出入口付近を通過する来店者の顔を撮影し、来店者の顔を含む画像をデータベースに登録する。
【００２０】
撮像システムは、撮像装置１００、画像処理部２００、および設定異常判定装置３００を備える。撮像装置１００は、例えば、遊技店の出入口付近を通過する遊技者の顔を撮像する。撮像システムは、複数の撮像装置１００を備えてよい。画像処理部２００は、撮像装置１００から提供される画像から顔を含む画像を抽出し、設定異常判定装置３００に提供する。撮像システムが複数の撮像装置１００を備える場合には、撮像システムは、複数の撮像装置１００毎に画像処理部２００を備えてよい。設定異常判定装置３００は、画像処理部２００から提供される顔を含む画像を管理する。設定異常判定装置３００において管理される顔を含む画像は、例えば、遊技店での顧客管理などに利用されてよい。
【００２１】
設定異常判定装置３００は、画像処理部２００から提供される顔を含む画像などに基づいて、撮像装置１００が来店者の顔を照合などに利用できる程度に撮像しているかどうかを判断する。設定異常判定装置３００は、撮像装置１００が来店者の顔を照合などに利用できる程度に撮像していないと判断した場合には、撮像装置１００により提供される画像に基づいて、撮像装置１００の設定が異常か否かを判定する。これにより、撮像装置１００が、撮影環境の変化などによって、照合などに用いることができる顔を含む画像を撮像できなくなっていることを把握することができる。
【００２２】
図２は、画像処理部２００の機能ブロックの一例を示す図である。画像処理部２００は、画像受信部２０２、顔画像抽出部２０４、特徴量導出部２０６、顔信頼度導出部２０８、顔向き導出部２１０および画像送信部２１２を備える。
【００２３】
画像受信部２０２は、撮像装置１００により撮像された画像を受信する。顔画像抽出部２０４は、画像受信部２０２により受信された画像から顔を含む画像を抽出する。顔画像抽出部２０４は、受信された画像内から顔を構成する部位の配置などのパターンにより顔を含む画像を抽出する。
【００２４】
特徴量導出部２０６は、顔画像抽出部２０４により抽出された画像に含まれる顔の特徴量を導出する。特徴量は、人物などの対象物を識別可能な情報であればよく、画像の画素値の情報、または画像に含まれる顔の目、鼻、口の間隔または大きさ、肌の色、髪型などの外見的特徴を数値で示した情報などでよい。
【００２５】
顔信頼度導出部２０８は、顔画像抽出部２０４により抽出された画像に含まれる顔の顔らしさを示す顔信頼度を導出する。例えば、顔信頼度導出部２０８は、画像に含まれる顔から、顔を構成する器官（例えば、目、耳、鼻、口、額、顎、輪郭）を抽出し、抽出された器官の位置情報を導出する。そして、顔信頼度導出部２０８は、抽出された器官と、抽出された器官の位置情報とに基づいて、顔を含む画像毎の顔信頼度を導出する。
【００２６】
顔信頼度導出部２０８は、例えば、図３に示すそれぞれの顔画像内の目および口の輪郭に沿って付されたそれぞれの点を器官特徴点として検出してよい。左から図中左を向いた顔画像、正面かつ下を向いた顔画像、および図中左を向いて、かつ、図中右側の目が髪の毛により隠れている顔画像の例が示されている。図３の中央で示されるように、例えば、目の器官特徴点は、左右それぞれ１１点ずつとされている。すなわち、正面を向いている状態であれば、目の器官特徴点は、１１点検出される。しかしながら、図３の左部で示されるように、図中左方向を向いている顔画像の場合、図中左側の目は、顔が図中の左方向を向いているため、目の器官の輪郭を構成する器官特徴点の一部を検出することができず、６点の器官特徴点のみが抽出されている。この場合、顔信頼度導出部２０８は、抽出した器官特徴点が図中左側の目の右側部分の６点であることを左側の目の器官の情報として抽出する。図３の左部の顔画像の場合、右側の目は、１１点であり、口は１０点となる。同様に、図３の中央部においては、左右の目が１１点であり、口が４点である。さらに、図３の右部の顔画像の場合、左側の目が６点であり、右側の目が７点であり、口が１０点となる。
【００２７】
ここで、顔信頼度は、顔を含む画像毎の照合処理に適する度合いを示すものである。したがって、顔信頼度が高い画像ほど、照合に適した画像である。例えば、顔信頼度は、器官のうち、例えば、目、耳、鼻、口、額、顎、輪郭などの有無により、器官毎に器官特徴点の合計となる数値でよい。また、顔信頼度は、左右の目または耳と、鼻または口との距離の比率、あるいは、額および鼻の距離と、顎および鼻の距離との比率などに基づいて導出される数値でよい。
【００２８】
顔向き導出部２１０は、受信された顔に含まれる顔の向きを導出する。顔向き導出部２１０は、顔信頼度導出部２０８により導出された各器官の器官特徴点の数に基づいて、顔の向きを導出してよい。顔向き導出部２１０は、両目の器官特徴点がそれぞれ基準数以上、例えば、１１点検出された場合、正面を向いている顔として顔向きを導出してよい。また、顔向き導出部２１０は、右目の器官特徴点が基準数以下、例えば、６点で、左目の器官特徴点が基準数以上、例えば、１１点であれば、図中左方向を向いている顔として顔向きを導出してよい。
【００２９】
顔向き導出部２１０は、顔信頼度導出部２０８により導出された器官の位置情報に基づいて、顔の向きの１つとして、顔の傾きを導出してよい。
【００３０】
画像送信部２１２は、顔画像抽出部２０４により抽出された顔を含む画像を、特徴量導出部２０６により導出された特徴量、顔信頼度導出部２０８により導出された顔信頼度、および顔向き導出部２１０により導出された顔の向きとともに、設定異常判定装置３００に送信する。
【００３１】
図４は、設定異常判定装置３００の機能ブロックの一例を示す図である。設定異常判定装置３００は、画像受信部３０２、画像登録部３０４、画像格納部３０６、基準顔検出数範囲決定部３０８、基準顔サイズ範囲決定部３１０、基準顔向き範囲決定部３１２、基準輝度範囲決定部３１４、顔検出数取得部３２０、顔サイズ取得部３２２、顔向き取得部３２４、輝度取得部３２６、設定異常判定部３３０、通知部３３２、および設定制御部３４０を備える。
【００３２】
画像受信部３０２は、画像処理部２００から顔を含む画像、画像に含まれる顔の信頼度、顔の特徴量、および顔の向きを受信する。画像登録部３０４は、受信した顔を含む画像、顔の信頼度、顔の特徴量、および顔の向きを関連付けて画像格納部３０６に登録する。
【００３３】
画像登録部３０４は、一日を単位として、画像格納部３０６に顔を含む画像を登録してよい。
【００３４】
基準顔検出数範囲決定部３０８は、撮像装置１００により撮像されている画像が正常か否かを判断するための基準となる基準顔検出数範囲を決定する。基準顔検出数範囲決定部３０８は、画像格納部３０６を参照して、例えば、過去７日間のそれぞれの顔検出数を取得する。なお、顔検出数は、顔らしさを示す顔信頼度が予め定められた基準値以上の顔を含む画像の数でよい。基準顔検出数範囲決定部３０８は、取得したそれぞれの顔検出数に基づいて基準顔検出数範囲を決定してよい。基準顔検出数範囲決定部３０８は、取得したそれぞれの顔検出数の最大値と最小値とを上限および下限として基準顔検出数範囲を決定してよい。また、基準顔検出数範囲決定部３０８は、取得したそれぞれの顔検出数の最大値と最小値とをユーザに提示して、ユーザからの指示に基づいて基準顔検出数範囲を決定してよい。
【００３５】
１日の顔検出数が、基準顔検出数範囲より少ない場合、例えば、撮像装置１００が撮像する撮像領域がずれ、適切に来店者の顔を撮像できていない可能性がある。また、１日の顔検出数が、基準顔検出数範囲より多い場合、例えば、撮像装置１００が、出入口から店内に入ってきた人ではなく、出入口の外の道路を通行している来店者ではない多くの通行人の顔を撮像しており、適切に来店者の顔を撮像できていない可能性がある。そこで、撮像装置１００が適切な設定で撮像できているか否かの判断の指標の１つとして、基準顔検出数範囲決定部３０８は、基準顔検出数範囲を決定する。
【００３６】
基準顔サイズ範囲決定部３１０は、撮像装置１００により撮像されている画像が正常か否かを判断するための基準となる基準顔サイズ範囲を決定する。基準顔検出数範囲決定部３０８は、画像格納部３０６を参照して、例えば、過去７日間のそれぞれの顔サイズを取得する。顔サイズは、画像内に含まれる顔を構成する画素数でよい。
【００３７】
基準顔サイズ範囲決定部３１０は、取得したそれぞれの顔サイズに基づいて基準顔サイズ範囲を決定してよい。基準顔サイズ範囲決定部３１０は、取得したそれぞれの顔サイズの最大値と最小値とを上限および下限として基準顔サイズ範囲を決定してよい。基準顔サイズ範囲決定部３１０は、取得したそれぞれの顔サイズの平均値に基づいて基準顔サイズ範囲を決定してよい。基準顔サイズ範囲決定部３１０は、取得したそれぞれの顔サイズの平均値を基準とした特定の割合、例えば、±１０％、±２０％などの範囲を基準顔サイズ範囲として決定してよい。また、基準顔検出数範囲決定部３０８は、取得したそれぞれの顔検出数の最大値、最小値、および平均値の少なくとも１つをユーザに提示して、ユーザからの指示に基づいて基準顔サイズ範囲を決定してよい。
【００３８】
顔サイズが、極端に大きい、または極端に小さい場合、撮像装置１００の撮像範囲が適切でない可能性がある。撮像装置１００の撮像範囲が適切でない場合、撮像装置１００が、例えば、出入口から店内に入ってきた人ではなく、出入口の外の道路を通行している来店者ではない通行人の顔を撮像していたり、すでに来店済みの店内を歩いている人などを撮像していたりして、適切に来店者を撮像できていない可能性がある。そこで、撮像装置１００が適切な設定で撮像できているか否かの判断の指標の１つとして、基準顔サイズ範囲決定部３１０は、基準顔サイズ範囲を決定する。
【００３９】
基準顔向き範囲決定部３１２は、撮像装置１００により撮像された画像が正常か否かを判断するための基準となる基準向き範囲を決定する。基準顔向き範囲決定部３１２は、例えば、過去７日間のそれぞれの画像に含まれる顔の向きを取得する。基準顔向き範囲決定部３１２は、取得したそれぞれの顔の向きに基づいて基準顔向き範囲を決定してよい。基準顔向き範囲決定部３１２は、例えば、両目、および口の器官特徴点が基準値以上となる顔の向きを基準顔向き範囲として決定してよい。
【００４０】
顔の向きが、極端に右または右を向いている場合、撮像装置１００が撮像している撮像領域が適切でない可能性がある。また、顔の傾きが傾き過ぎている場合、撮像装置１００の撮像姿勢が適切でない可能性がある。撮像装置１００の撮像領域または撮像姿勢が適切でない場合、撮像装置１００により撮像された画像に含まれる顔から照合などに適した特徴量などを導出できない可能性がある。そこで、撮像装置１００が適切な設定で撮像できているか否かの判断の指標の１つとして、基準顔向き範囲決定部３１２は、基準顔向き範囲を決定する。
【００４１】
基準輝度範囲決定部３１４は、撮像装置１００により撮像された画像が正常か否かを判断するための基準となる基準輝度範囲を決定する。基準輝度範囲決定部３１４は、例えば、過去７日間のそれぞれの画像の輝度を取得する。画像の輝度は、それぞれの画素の輝度の平均値、合計値などでよい。基準輝度範囲決定部３１４は、取得したそれぞれの輝度に基づいて基準輝度範囲を決定してよい。基準輝度範囲決定部３１４は、過去７日間のそれぞれの画像の背景領域の輝度を取得してよい。つまり、基準輝度範囲決定部３１４は、それぞれの画像の顔を含む人物などの移動体以外の領域の輝度を取得してよい。
【００４２】
基準輝度範囲決定部３１４は、取得したそれぞれの輝度の平均値に基づいて基準輝度範囲を決定してよい。基準輝度範囲決定部３１４は、輝度の平均値を基準とした特定の割合、例えば、±１０％、±２０％などの範囲を基準輝度範囲と決定してよい。基準輝度範囲決定部３１４は、取得したそれぞれの輝度の最大値、最小値、および平均値の少なくとも１つをユーザに提示して、ユーザからの指示に基づいて基準輝度範囲を決定してよい。
【００４３】
輝度が、極端に明るい、または暗い場合、撮像装置１００の露出、またはホワイトバランスが適切でない可能性がある。撮像装置１００の露出またはホワイトバランスが適切でない場合、撮像装置１００により撮像された画像に含まれる顔が、暗すぎ、または明るすぎ、照合などに適さない場合がある。例えば、画像内の背景領域の輝度が、明るすぎる場合、その画像に含まれる顔の輝度が暗すぎて、その画像は、照合などに適さない可能性がある。そこで、撮像装置１００が適切な設定で撮像できているか否かの判断の指標の１つとして、基準輝度範囲決定部３１４は、基準輝度範囲を決定してよい。
【００４４】
顔検出数取得部３２０は、撮像装置１００により撮像された複数の画像から検出された顔の数を示す顔検出数を取得する。顔検出数取得部３２０は、一日単位で、撮像装置１００により撮像された複数の画像から検出された顔の数を示す顔検出数を取得してよい。顔検出数取得部３２０は、画像格納部３０６を参照することで、顔が検出された来店者の人数を顔検出数として取得してよい。顔検出数取得部３２０は、来店人数ではなく、撮像装置１００により撮像された画像のうち画像処理部２００により抽出された顔を含む画像の総数を顔検出数として取得してよい。この場合、基準顔検出数範囲決定部３０８は、来店人数ではなく、画像処理部２００により抽出された顔を含む画像の総数に基づいて基準顔検出数範囲を決定する。
【００４５】
顔サイズ取得部３２２は、顔検出数取得部３２０により取得された顔検出数が、基準顔検出数範囲決定部３０８により決定された基準顔検出数範囲に含まれない場合、複数の画像のうち少なくとも１つの画像から検出された顔の顔サイズを取得する。顔サイズ取得部３２２は、画像格納部３０６を参照することで、対象日に検出されたそれぞれの顔のサイズの平均値を顔サイズとして取得してよい。
【００４６】
顔向き取得部３２４は、顔検出数取得部３２０により取得された顔検出数が、基準顔検出数範囲決定部３０８により決定された基準顔検出数範囲に含まれない場合、複数の画像のうち少なくとも１つの画像から検出された顔の向きを取得する。顔向き取得部３２４は、画像格納部３０６を参照することで、対象日に検出されたそれぞれの顔の向きの平均値を顔の向きとして取得してよい。
【００４７】
輝度取得部３２６は、顔検出数取得部３２０により取得された顔検出数が、基準顔検出数範囲決定部３０８により決定された基準顔検出数範囲に含まれない場合、複数の画像のうち少なくとも１つの画像の輝度を取得する。輝度取得部３２６は、画像格納部３０６を参照することで、対象日に検出されたそれぞれの画像の背景領域の輝度の平均値を輝度として取得してよい。
【００４８】
設定異常判定部３３０は、顔サイズ取得部３２２により取得された顔サイズが、基準顔サイズ範囲決定部３１０により決定された基準顔サイズ範囲に含まれない場合、撮像装置１００の設定が異常であると判定する。設定異常判定部３３０は、顔サイズ取得部３２２により取得された顔サイズが、基準顔サイズ範囲に含まれない場合、撮像装置の撮像範囲の設定が異常であると判定してよい。
【００４９】
設定異常判定部３３０は、顔向き取得部３２４により取得された顔の向きが、基準顔向き範囲決定部３１２により決定された基準顔向き範囲に含まれない場合、撮像装置１００の設定が異常であると判定する。設定異常判定部３３０は、顔向き取得部３２４により取得された顔の向きが、基準顔向き範囲に含まれない場合、撮像装置１００の撮像位置の設定が異常であると判定してよい。
【００５０】
設定異常判定部３３０は、輝度取得部３２６により取得された輝度が、基準輝度範囲決定部３１４により決定された基準輝度範囲に含まれない場合、撮像装置１００の設定が異常であると判定する。設定異常判定部３３０は、輝度取得部３２６により取得された輝度が、基準輝度範囲に含まれない場合、撮像装置１００の露出またはホワイトバランスの設定が異常であると判定してよい。
【００５１】
通知部３３２は、設定異常判定部３３０が撮像装置１００の設定が異常であると判定した場合、撮像装置１００の設定が異常である旨を外部に通知する。通知部３３２は、設定異常判定部３３０が撮像装置１００の設定が異常である旨を示すメッセージ、画面などの情報を予め定められた通信端末に送信してよい。
【００５２】
設定制御部３４０は、設定異常判定部３３０が撮像装置１００の設定が異常であると判定した場合、撮像装置１００の設定値を変更するように撮像装置１００に指示してよい。設定制御部３４０は、設定異常判定部３３０が撮像装置１００の設定が異常であると判定した場合、初期設定値に変更するように撮像装置１００に指示してよい。撮像装置１００は、設定制御部３４０からの指示に応じて、設定を変更してよい。
【００５３】
設定制御部３４０は、設定異常判定部３３０が撮像装置１００の撮像範囲の設定が異常であると判定した場合、予め定められた撮像範囲に変更するように撮像装置１００に指示してよい。設定制御部３４０は、顔サイズ取得部３２２により取得された顔サイズが小さすぎる場合には、撮像範囲を狭くするように撮像装置１００に指示してよい。設定制御部３４０は、顔サイズ取得部３２２により取得された顔サイズが大きすぎる場合には、撮像範囲を広くするように撮像装置１００に指示してよい。
【００５４】
設定制御部３４０は、設定異常判定部３３０が撮像装置１００の撮像位置の設定が異常であると判定した場合、予め定められた撮像位置に変更するように撮像装置１００に指示してよい。
【００５５】
設定制御部３４０は、設定異常判定部３３０が撮像装置１００の露出またはホワイトバランスの設定が異常であると判定した場合、予め定められた露出またはホワイトバランスに変更するように撮像装置１００に指示してよい。設定制御部３４０は、対象日の画像の背景領域が明るすぎる場合、シャッタースピードを速くする、または絞り値を大きくするように撮像装置１００に指示してよい。設定制御部３４０は、対象日の画像の背景領域が暗すぎる場合、シャッタースピードを遅くする、または絞り値を小さくように撮像装置１００に指示してよい。設定制御部３４０は、対象日の画像の背景領域が明るすぎる場合には、ホワイトバランスのゲインを小さくするように、撮像装置１００に指示してよい。設定制御部３４０は、対象日の画像の背景領域が暗すぎる場合には、ホワイトバランスのゲインを大きくするように、撮像装置１００に指示してよい。
【００５６】
図５は、設定異常判定装置３００が撮像装置１００の設定に異常があるか否かを判定する手順の一例を示すフローチャートである。
【００５７】
基準顔検出数範囲決定部３０８は、画像格納部３０６を参照して、対象日より過去の７日間のそれぞれの日の顔検出数を取得し、取得した顔検出数に基づいて基準顔検出数範囲を決定する（Ｓ１００）。顔検出数取得部３２０は、画像格納部３０６を参照して、対象日の一日の顔検出数を取得する（Ｓ１０２）。顔検出数取得部３２０は、例えば、閉店後に今日一日に検出された来店者の顔検出数を取得する。
【００５８】
設定異常判定部３３０は、顔検出数取得部３２０により取得された顔検出数が基準顔検出数範囲か否かを判定する（Ｓ１０４）。顔検出数が基準顔検出数範囲内であれば、撮像装置１００の設定に異常がないと判断して、処理を終了する。
【００５９】
一方、顔検出数が基準顔検出数範囲外であれば、設定異常判定部３３０は、撮像装置１００の設定に何らかの異常がある可能性があると判断して、基準顔サイズ範囲決定部３１０、基準顔向き範囲決定部３１２、および基準輝度範囲決定部３１４に対して基準顔サイズ範囲、基準顔向き範囲、および基準輝度範囲を決定するように指示する。指示に応じて、基準顔サイズ範囲決定部３１０が、過去７日間の顔サイズに基づいて基準顔サイズ範囲を決定する。基準顔向き範囲決定部３１２は、過去７日間の顔の傾きに基づいて、基準傾き範囲を決定する。基準輝度範囲決定部３１４は、過去７日間の画像の背景領域の輝度に基づいて、基準輝度範囲を決定する（Ｓ１０６）。
【００６０】
次いで、顔サイズ取得部３２２が、画像格納部３０６を参照して、対象日の各画像の顔サイズを取得して、取得した各顔サイズから平均顔サイズを取得する（Ｓ１０８）。設定異常判定部３３０は、平均顔サイズが基準顔サイズ範囲内か否かを判定する（Ｓ１１０）。平均顔サイズが基準顔サイズ範囲内になければ、設定異常判定部３３０は、撮像装置１００の設定異常として、撮像範囲の異常である可能性があると判定する（Ｓ１１２）。
【００６１】
平均顔サイズが基準顔サイズ範囲内にあれば、顔向き取得部３２４は、対象日の各画像の顔の向きを取得して、取得した各顔の向きから顔の平均向きを取得する（Ｓ１１４）。設定異常判定部３３０は、顔の平均向きが基準顔向き範囲か否かを判定する（Ｓ１１６）。設定異常判定部３３０は、顔の平均向きとして顔の平均の傾きが基準傾き範囲か否かにより、顔の平均向きが基準顔向き範囲か否かを判定してよい。顔の平均向きが基準顔向き範囲でなければ、設定異常判定部３３０は、撮像装置１００の設定異常として、撮像装置１００の撮像位置の異常である可能性があると判定する（Ｓ１１８）。
【００６２】
顔の平均向きが基準顔向き範囲内にあれば、基準輝度範囲決定部３１４は、対象の各画像の背景領域の輝度を取得して、取得した各輝度から平均輝度を取得する（Ｓ１２０）。設定異常判定部３３０は、平均輝度が基準輝度範囲か否かを判定する（Ｓ１２２）。平均輝度が基準輝度範囲内になければ、設定異常判定部３３０は、撮像装置１００の設定異常として、撮像装置１００の露出またはホワイトバランスの異常である可能性があると判定する（Ｓ１２４）。
【００６３】
以上の通り、対象日の顔検出数が基準顔検出数範囲内になければ、設定異常判定部３３０は、顔サイズ、顔の向き、および輝度に基づいて、撮像装置１００の設定に異常がないか否かを判定する。なお、顔サイズの異常、顔の向きの異常、輝度の異常の判定順序は、上記には限定されず、設定異常判定部３３０は、他の順序、または並列にそれぞれの異常を判定してよい。
【００６４】
本実施形態によれば、設定異常判定部３３０が、対象日の顔検出数に基づいて撮像装置１００の設定に異常がある可能性があるか否かを判定する。撮像装置１００の設定に異常がある可能性があれば、設定異常判定部３３０は、顔サイズ、顔の向き、または輝度に基づいて、撮像装置１００の設定の具体的な異常の内容をさらに特定する。
【００６５】
本実施形態によれば、出入口の近傍など予め定められた場所を通行する人などを撮像する撮像装置１００が、撮影環境の変化などによって、照合などに用いることができる顔を含む画像を撮像できなくなった場合、撮像装置１００の設定に異常が発生している可能性があることを容易に把握できる。さらに、撮像装置１００の設定の具体的な異常の内容を容易に特定できる。
【００６６】
また、設定異常判定装置３００は、すべての画像について、顔サイズ、顔の向き、または輝度に基づいて撮像装置１００の設定の異常の有無を判定せず、まず、顔検出数に基づいて撮像装置１００の設定の異常の可能性を判定する。これにより、すべての画像について、顔サイズ、顔の向き、または輝度に基づいて撮像装置１００の設定の異常の有無を判定する場合に比べて、設定異常判定装置３００の処理負担を低減できる。
【００６７】
なお、本実施形態に係る設定異常判定装置３００が備える各部は、撮像装置１００についての設定異常判定に関する各種処理を行う、コンピュータ読み取り可能な記録媒体に記録されたプログラムをインストールし、このプログラムをコンピュータに実行させることで、構成してもよい。つまり、コンピュータに撮像装置１００についての設定異常判定に関する各種処理を行うプログラムを実行させることにより、設定異常判定装置３００が備える各部としてコンピュータを機能させることで、設定異常判定装置３００を構成してもよい。
【００６８】
図６は、本実施形態に係る設定異常判定装置３００のハードウェア構成の一例を示す図である。本実施形態に係る設定異常判定装置３００は、ホストコントローラ９０２により相互に接続されるＣＰＵ９０４、ＲＡＭ９０６を有するＣＰＵ周辺部と、入出力コントローラ９０８によりホストコントローラ９０２に接続されるＲＯＭ９１０、および通信インターフェイス９１２を備える。
【００６９】
ホストコントローラ９０２は、ＲＡＭ９０６と、高い転送レートでＲＡＭ９０６をアクセスするＣＰＵ９０４とを接続する。ＣＰＵ９０４は、ＲＯＭ９１０およびＲＡＭ９０６に格納されたプログラムに基づいて動作して、各部を制御する。入出力コントローラ９０８は、ホストコントローラ９０２と、比較的高速な入出力装置である通信インターフェイス９１２と、ＲＯＭ９１０とを接続する。
【００７０】
通信インターフェイス９１２は、撮像装置１００および画像処理部２００などと通信する。ＲＯＭ９１０は、設定異常判定装置３００内のＣＰＵ９０４が使用するプログラムおよびデータを格納する。また、ＲＯＭ９１０は、設定異常判定装置３００が起動時に実行するブート・プログラム、設定異常判定装置３００のハードウェアに依存するプログラム等を格納する。
【００７１】
ＲＡＭ９０６を介してＲＯＭ９１０に提供されるプログラムは、ＣＤ−ＲＯＭ、またはＵＳＢメモリ等のコンピュータが読み取り可能な記録媒体に格納されて利用者によって提供される。プログラムは、記録媒体から読み出され、ＲＡＭ９０６を介して設定異常判定装置３００内のＲＯＭ９１０にインストールされ、ＣＰＵ９０４において実行される。
【００７２】
設定異常判定装置３００にインストールされて実行されるプログラムは、ＣＰＵ９０４等に働きかけて、設定異常判定装置３００を、図１から図５にかけて説明した画像受信部３０２、画像登録部３０４、画像格納部３０６、基準顔検出数範囲決定部３０８、基準顔サイズ範囲決定部３１０、基準顔向き範囲決定部３１２、基準輝度範囲決定部３１４、顔検出数取得部３２０、顔サイズ取得部３２２、顔向き取得部３２４、輝度取得部３２６、設定異常判定部３３０、通知部３３２、および設定制御部３４０として機能させる。
【００７３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７５】
１００  撮像装置
２００  画像処理部
２０２  画像受信部
２０４  顔画像抽出部
２０６  特徴量導出部
２０８  顔信頼度導出部
２１０  顔向き導出部
２１２  画像送信部
３００  設定異常判定装置
３０２  画像受信部
３０４  画像登録部
３０６  画像格納部
３０８  基準顔検出数範囲決定部
３１０  基準顔サイズ範囲決定部
３１２  基準顔向き範囲決定部
３１４  基準輝度範囲決定部
３２０  顔検出数取得部
３２２  顔サイズ取得部
３２４  顔向き取得部
３２６  輝度取得部
３３０  設定異常判定部
３３２  通知部
３４０  設定制御部
９０２  ホストコントローラ
９０４  ＣＰＵ
９０６  ＲＡＭ
９０８  入出力コントローラ
９１０  ＲＯＭ
９１２  通信インターフェイス
【図１】
2015195459.tif 000003
【図２】
2015195459.tif 000004
【図３】
2015195459.tif 000005
【図４】
2015195459.tif 000006
【図５】
2015195459.tif 000007
【図６】
2015195459.tif 000008